(57)【要約】【課題】線香を線香容器に体裁良くかつ効率良く立てることができる香立て用治具を提供する。    【解決手段】灰等の不燃性の粉体を収納する上端開口の線香容器に用いる線香立て用治具であって、粉体の表面に載置して用いる線香立て本体２と、粉体への線香の差込み代を規制するためにこの粉体中に埋め込んで用いるストッパー部材20とを備え、    上記線香立て本体２は、上方から見て同心状に重なる線香挿通孔10をそれぞれ同数穿設した上下一対の案内板4,6を、一定間隔を存して連結部８で剛結合させてなり、上記ストッパー部材20は、少なくとも線香容器Ｃ内へその開口を介して挿入しかつ水平状態で設置可能なサイズを有するストッパー板22を有するとともに、このストッパー板22の上面から線香の差込み代に相当する長さを有する垂直棒24を起立させてなる。【選択図】  図１
2007054141.tif 000002
【特許請求の範囲】
【請求項１】
灰等の不燃性の粉体を収納する上端開口の線香容器に用いる線香立て用治具であって、粉体の表面に載置して用いる線香立て本体２と、粉体への線香の差込み代を規制するためにこの粉体中に埋め込んで用いるストッパー部材20とを備え、
上記線香立て本体２は、上方から見て同心状に重なる線香挿通孔10をそれぞれ同数穿設した上下一対の案内板4,6を、一定間隔を存して連結部８で剛結合させてなり、
上記ストッパー部材20は、少なくとも線香容器Ｃ内へその開口を介して挿入しかつ水平状態で設置可能なサイズを有するストッパー板22を有するとともに、このストッパー板22の上面から線香の差込み代に相当する長さを有する垂直棒24を起立させてなることを特徴とする線香立て用治具。
【請求項２】
上側の案内板４を、ステンレス鋼等の熱伝導性素材で形成したことを特徴とする、請求項１記載の線香立て用治具。
【請求項３】
上記案内板4,6の各線香挿通孔の孔面上縁に面取り部14を設けたことを特徴とする、請求項１又は請求項２記載の線香立て用治具。
【発明の詳細な説明】
【技術分野】
【０００１】
本発明は、線香立て用治具、特に香炉形の線香容器に使用する線香立て用治具に関する。尚、上記線香容器とは、線香立てとして使用する全ての容器をいう。
【背景技術】
【０００２】
容器内の灰に差した線香が倒れて火事の原因となることを防止するため、線香挿通孔を底壁に多数穿設した浅皿状の案内皿を、上端開口部内に着脱自在に嵌合した線香容器が知られている（特許文献１）。
【０００３】
又、線香の燃えカスの取出しを容易とするため、上記案内皿に代えて熱伝導性の良い金網板を線香容器の開口部に取り付けた線香容器も知られている（特許文献２）。
【０００４】
更に、線香の倒れ防止を確実とするために、上下二段に重ねた金網板の周縁部数カ所を連結して、線香容器内に収納する線香立て用治具も知られている（特許文献３）。
【特許文献１】特開平11−299633号
【特許文献２】特開2001−286386号
【特許文献３】特開2000−175804号
【発明の開示】
【発明が解決しようとする課題】
【０００５】
特許文献１及び特許文献２の容器では、案内皿の線香挿通孔や金網板を通して線香の下部を灰の中へ差し込むので、複数の線香を差し込むときに各線香が斜めになり、体裁が悪くなるおそれがあった。特許文献３の治具は上下の金網板を重ねているので、両金網の網目がたまたま一致していれば線香を真っ直ぐに立てることができるが、一致していなければ線香を垂直向きに配列することができない。
【０００６】
又、特許文献１乃至特許文献３のものでは、線香を灰の中に深く差し込むことで燃え残りの部分が多くなったり、又、整列した線香の高さが不揃いとなる不都合もある。
【０００７】
更に特許文献２のものでは、線香容器の開口部に取り付けた金網との接触により線香の火が消えるので、線香容器内の灰の量が少ないときに線香の燃え残りが多くなる。
【０００８】
そこで本発明は、線香を線香容器に体裁良くかつ効率良く立てることができる香立て用治具を提供することを目的とする。
【課題を解決するための手段】
【０００９】
第1の手段は、灰等の不燃性の粉体を収納する上端開口の線香容器に用いる線香立て用治具であって、粉体の表面に載置して用いる線香立て本体２と、粉体への線香の差込み代を規制するためにこの粉体中に埋め込んで用いるストッパー部材20とを備え、
上記線香立て本体２は、上方から見て同心状に重なる線香挿通孔10をそれぞれ同数穿設した上下一対の案内板4,6を、一定間隔を存して連結部８で剛結合させてなり、
上記ストッパー部材20は、少なくとも線香容器Ｃ内へその開口を介して挿入しかつ水平状態で設置可能なサイズを有するストッパー板22を有するとともに、このストッパー板22の上面から線香の差込み代に相当する長さを有する垂直棒24を起立させてなる。
【００１０】
本手段は、灰に差し込まれる線香の向き及びその差込み深さを整える機能を有する。
【００１１】
「線香立て本体」は、線香の向きを鉛直方向に整えるために、上下方向から見て線香挿通孔が同心状に重なるように上下の各案内板に線香挿通孔を配置するものとする。もっとも線香挿通孔への線香の挿入を容易とするために、孔面と線香周面との間にある程度の遊びをとる必要があるので、鉛直方向からの線香の傾斜角度が許容範囲（例えば２〜４度）に納まるようにすれば良い。上下の案内板の間隔は、後述する如く上記遊びに応じて線香の傾斜が許容範囲となるように設計することが望ましい。尚、上記線香挿通孔は、単数でも良いが、複数穿設することが望ましい。又、上記案内板は、少なくとも線香の垂直状態を維持できる程度の剛性を有するものとする。尚、本手段において、「剛結合」とは、各案内板の線香挿通孔が上下方向から見て重なる位置からずれないように案内板相互を連結部で固定することをいうものとする。
「ストッパー部材」は、灰中に水平に埋め込まれるストッパー板から垂直棒を垂直に起立してなる。この垂直棒は、一種の物差しの如く所望の線香の差込み代に応じた定尺のものであり、ストッパー板とともに灰の中に埋め込む際に棒の上端が灰の表面に表れるようにしてストッパー板の埋込み深さを一定とするためのものである。「定尺」とは、利用者が意図したストッパー板からの突出長を維持できるという意味であり、その突出長を調整できるものを除く趣旨ではない。又、垂直棒はストッパー板の外周部から相互に間隔を置いて３本以上起立することが望ましい。更に線香容器の灰への埋め込みを容易とするため、線香立て本体とは別部材として形成すると良い。
【００１２】
第２の手段は、第1の手段を有し、かつ上側の案内板４を、ステンレス鋼等の熱伝導性素材で形成している。
【００１３】
本手段では、上側の案内板は、線香の火が線香挿通孔の孔面に接したときに消えるように熱伝導性の良い材料で形成している。この上側案内板と下側案内板との間隙は、摘み代としての意味を有しており、この摘み代に相当する長さの線香部分が、線香立て本体を除去した後の灰から上方へ突き出しているので、線香の燃え残りを取り除き易い。好適な摘み代の長さは、８〜10mm程度である。又、熱伝導性素材としては、金属又はガラス質などが考えられる。尚、上側案内板全体を熱伝導性材料で形成することが好適であるが、ほうろうの如く母材の表面に熱伝導層を設けても良い。
【００１４】
第３の手段は、第1の手段又は第２の手段を有し、かつ上記案内板4,6の各線香挿通孔の孔面上縁に面取り部14を設けている。
【００１５】
本手段では、線香挿通孔に線香を挿通させ易いように、各線香挿通孔の孔面上縁に面取り部14を設けたものである。この面取り部は、上下各案内板の線香挿通孔の孔面上縁について行うことが望ましいが、何れか一方にしても良い。
【発明の効果】
【００１６】
第1の手段に係る発明によれば、次の効果を有する。
○上下案内板4,6の線香挿通孔10を、上方から見て同心状に配置したから、線香を鉛直方向に体裁良く立てることが容易であり、また、両案内板を剛結合したから、使っているうちに線香案内孔が重なり位置からずれることがない。
○線香容器内の粉体中に埋め込むストッパー部材20を設けたから、必要以上に線香を粉体に差し込むことがなく、また、線香の高さも揃うので更に体裁が良い。
【００１７】
第２の手段に係る発明によれば、次の効果を生ずる。
○灰の表面への載置用の下側案内板６から一定距離を隔てて設けた上側案内板４を、熱伝導性材料で形成したから、線香の燃え残りを取り除く際にと灰の表面から線香の上部が常に一定距離突出していることとなり、既述特許文献２のものの如く灰の表面からの線香の突出長が不必要に長くなることがないので、線香の無駄を防止できる。
○線香挿通孔10付きの熱伝導性案内板４を用いて線香の火を消すため、特許文献２で用いる金網と比較して熱伝導量が大きくなり、確実に消火することができる。
【００１８】
第３の手段に係る発明によれば、案内板の線香挿通孔10の孔面上縁を面取りさせたから、その孔内に線香を挿通させ易い。
【発明を実施するための最良の形態】
【００１９】
本発明の線香立て用治具は、線香立て本体２と、ストッパー部材20とからなる。
【００２０】
線香立て本体２は、相互に一定距離を存して重ねた上下一対の金属製の案内板４，６の外周部を、複数の連結具８で剛結合させるとともに、上記各案内板４、６に上方から見て同心状に重なるように複数の線香挿通孔１０を穿設してなる。また図示例では線香立て本体２の上側案内板４の中央部に摘み片１２を起立している。この線香立て本体２は、図３に示すような線香容器Cの灰の上に載置して用いるものであり、上記各案内板は、線香容器Cの上部内へ収納可能な大きさに形成する。
【００２１】
上記連結具８は、図４の如く、両案内板４，６を貫通して上側案内板４の上面に係止可能な帽部付きのボルト８aと、下側案内板６下方へ突出したボルト部分に係合するナット８ｂと、両案内板４，６間のボルト部分を覆うスリーブ８ｃとで形成している。
【００２２】
上記線香挿通孔10は、上下両案内板４，６のほぼ全面に均等に穿設している。また、上下案内板の線香挿通孔10の孔面上端部はそれぞれ面取り部14としている。
【００２３】
ストッパー部材20は、線香容器の灰中への埋設用のストッパー板22を有し、このストッパー板の外周部から同じ高さの垂直棒24を起立している。
【００２４】
上記線香立て本体２とストッパー部材20とは別体であり、使用前の状態を示す図１では、上記垂直棒の上端で線香立て本体２の下面を支持している。尚、上記各垂直棒24の起立長さ、及び連結具で固定された上下案内板４，６の間隙はそれぞれ調整可能とすると良い。
【００２５】
本発明の線香立て用治具を使用するときには、まず線香容器Ｃ中の灰Ａの中へ、図１に示すストッパー部材20を斜めの状態から差し込んで埋没させるとともに、灰の中でストッパー板22が水平になるように姿勢を調整する。このとき、灰の表面を平坦に均した状態でストッパー部材20の３本の垂直棒24の上端が灰の表面に位置するようにすると、ストッパー板22の水平状態の確保が容易である。次の灰Ａの上に図５に示す如く線香立て本体２を載置し、その上下案内板４，６の上下に対応する線香挿通孔10に線香Ｉを挿通させる。ここで例えば比較的暗い場所で線香を通す作業を行う場合や、作業者の視力が良くない場合であっても、上側案内板４の線香挿通孔10のおよその位置が判れば、その上記線香挿通孔10の面取り部14を利用して線香の下端を孔内へ導くことができる。他方、下側案内板４の線香挿通孔10に線香を通すときには、上側案内板４が邪魔となって目標とする孔の位置を全く確認できない。しかしながら、２つの線香挿通孔は上下方向に同心状に位置しているので、上側案内板４に対して略垂直となるように上側の線香挿通孔10内へ線香Ｉを挿入していけば、図５に二点鎖線で示す如くその線香の下端部が下側の線香挿通孔10の面取り部14に当ることが多く、この面取り部14を利用して、下側の線香挿通孔10の孔内へ通すことができる。
【００２６】
これら上下一対の線香挿通孔10を通った後に、線香の下端は灰Ａの中に進入して図６に示す如くストッパー板22の上面に突き当たる。これにより必要以上に深く線香が灰の中に差し込まれないようにすることができる。この図６の状態では、線香は、上下一対の線香挿通孔10,10で抱持されており、ほぼ垂直状態を保っている。
【００２７】
この線香の上端に火を付けると、この火は次第に線香の下方へ延焼していき、上側案内板４に到達すると、上側案内板４を通じて熱が逃散することで消火する。図５では、説明の簡単のために線香を線香挿通孔の中央に挿通させたので、その孔面と線香とが離れているが、実際には線香と線香挿通孔との遊びは小さいので、その孔面の何れか一部に線香は接しており、上側案内板の位置でほぼ確実に線香の火を消すことができる。しかる後に線香立て本体２を灰の上から取り外すと、図７に示す如く、灰の表面から線香の燃え残りが一定長さ突出するので、この突出部分を摘んで引き上げることで燃え残りを取り除くことができる。
【００２８】
［実施例］
図５の図示例に基づいて本発明の線香立て本体の構造に関して具体的に説明する。図示の線香挿通孔10は、線香の抜き差しを容易とするために、線香との間に遊びをとると良い。線香の外径を約２ｍｍ程度とすると、遊びは0.5〜１mmとすることが望ましく、そうなると線香挿通孔の2.5〜3.5mm程度となる。
【００２９】
また、上下の案内板4,6の間隙は、上記遊びの大きさに応じて線香の傾斜角度が許容範囲に収まるように設計する。設計の手法としてはいろいろ考えられるが、最も簡単な方法は、ＣＡＤ（図面作成支援ソフト）を用いて、孔径一定の線香挿通孔を通る一定外径の線香が最大に傾いた状態を実際に作図し、そして両案内板の間隔をさまざまに変更して、鉛直線に対する線香の最大傾斜角θを求めることであり、この傾斜角が許容範囲（一例として２〜４度）にあることを条件として両案内板４，６の間隙をなるべく小さく設定すれば良い。具体的には、上記線香が、下側線香挿通孔の下縁の左端Ｐ、及び、上側線香挿通孔の上縁（図示例では面取り部を除く孔面部分上縁）の右端Ｑにそれぞれ接するように作図すれば良い。同例では線香の太さを２mmとすると、線香挿通孔の太さは約2.5mm、上記点Ｐ及び点Ｑの高低差は約８mm（両案内板の間の距離は約７mm）となっている。このときの線香の最大傾斜角θは約３度であり、許容範囲に入る。尚、３度の傾斜角は大きいようであるが、これは意図的に傾斜を大きくした場合であり、線香挿通孔の中心を通るように線香を差せば、傾斜角をその半分程度とすることができる。
【００３０】
また図５の例では、上側案内板４の図右側の線香挿通孔10から、下側案内板６の図右側の線香挿通孔10へ通しているが、仮に利用者が誤って上側案内板４の右側線香挿通孔10から下側案内板６の左側線香挿通孔10へ線香を通したときには、その線香の傾斜は鉛直方向に対して30度程度となり、傾斜の許容範囲を大きく上回る。この場合、線香が垂直でないことは直ちに判るので、利用者が誤って隣の挿通孔に線香を通すということは起こらないと考えられる。
【図面の簡単な説明】
【００３１】
【図１】本発明の実施形態に係る線香立て用治具の正面図である。
【図２】図１の線香立て用治具の平面図である。
【図３】図１の治具を線香に装着した状態を示す斜視図である。
【図４】分解状態の図１の治具と線香立て容器と示す斜視図である。
【図５】図１の治具を用いて線香を立てる行程の説明図である。
【図６】図１の治具を用いて線香を線香容器に立てた状態を示す断面図である。
【図７】図６の状態から線香の火が消えた後に線香立て本体を取り外した状態を示す断面図である。
【符号の説明】
【００３２】
２…線香立て本体  ４…上側案内板  ６…下側案内板  ８…連結具
10…線香挿通孔  12…摘み片  14…面取り部  20…ストッパー部材  22…ストッパー板  24…垂直棒  Ａ…灰  Ｃ…線香容器  Ｉ…線香
【図１】
2007054141.tif 000003
【図２】
2007054141.tif 000004
【図３】
2007054141.tif 000005
【図４】
2007054141.tif 000006
【図５】
2007054141.tif 000007
【図６】
2007054141.tif 000008
【図７】
2007054141.tif 000009